(57)【要約】【課題】螺旋線条体よりなるケーブルハンガーを、治具を用いずとも、迅速かつ容易にメッセンジャーワイヤに対して固定することのできる、ケーブルハンガーの固定方法を提供すること。【解決手段】メッセンジャーワイヤ１０をなす高抗張力より線の表面に対し、高抗張力素線よりなるアーマーロッド１４により、ケーブル類１２を保持する螺旋線条体よりなるケーブルハンガー１１の固定すべき部分を、メッセンジャーワイヤ１０とアーマーロッド１４の間に挟持して固定する、ケーブルハンガー１１の固定方法とする。【選択図】図２
2007236050.tif 000002
【特許請求の範囲】
【請求項１】
メッセンジャーワイヤを構成する高抗張力より線の表面に、ケーブル類を装荷する螺旋線条体よりなるケーブルハンガーの固定すべき部分を介在させ、高抗張力素線よりなる螺旋状成形体から成るアーマーロッドを外側から嵌着することにより、メッセンジャーワイヤにケーブルハンガーを固定することを特徴とするケーブルハンガーの固定方法。
【請求項２】
前記のアーマーロッドを構成する高抗張力素線よりなる螺旋状成形体の螺旋の向きが、メッセンジャーワイヤを構成する高抗張力より線のより方向と同一であることを特徴とする請求項１に記載のケーブルハンガーの固定方法。
【請求項３】
前記のアーマーロッドを構成する高抗張力素線よりなる螺旋状成形体の内径が、メッセンジャーワイヤを構成するなす高抗張力より線の外径より小さくしてあることを特徴とする請求項１又は２の何れかに記載のケーブルハンガーの固定方法。
【請求項４】
前記のケーブルハンガーは、右螺旋と左螺旋の交互反転螺旋線条体より成ることを特徴とする請求項１乃至３の何れかに記載のケーブルハンガーの固定方法。
【請求項５】
前記のアーマーロッドは、その長さ方向の中央に目印を有することを特徴とする請求項１乃至４の何れかに記載のケーブルハンガーの固定方法。
【発明の詳細な説明】
【技術分野】
【０００１】
本発明は、通信用の光ファイバーケーブルなどの各種のケーブル類を電柱間などの区間に架設するときに、ケーブル類を架設すべき区間に張架したメッセンジャーワイヤと、メッセンジャーワイヤに取り付けられた状態で架設すべきケーブル類を装架する螺旋状のケーブルハンガーを、互いに固定するためのケーブルハンガーの固定方法に関するものである。
【背景技術】
【０００２】
通常、ケーブル類の架設にはメッセンジャーワイヤとケーブルハンガーを用い、電柱間などのケーブル類を架設すべき区間にメッセンジャーワイヤを張架して、このメッセンジャーワイヤにケーブルハンガーを取り付けて、このケーブルハンガーにケーブルを装架することで、メッセンジャーワイヤに沿ってケーブルを架設することがなされている。
【０００３】
従来より、メッセンジャーワイヤの長手方向に所定間隔をおいた複数箇所で、上側をメッセンジャーワイヤに対して固定し、下側をケーブルに対して固定することで、メッセンジャーワイヤに対して垂下して取り付けられるケーブルハンガーがあり、このようなケーブルハンガーにより、ケーブルをメッセンジャーワイヤの下方に懸吊して装架することで、ケーブルをメッセンジャーワイヤに沿って架設することがなされていた（例えば、特許文献１、図１６参照。）。
【０００４】
近時、上述のようなケーブルの架設方法によらず、通信用の光ファイバーケーブルなどのケーブル類を架設するときには、ケーブルハンガーとして、所謂スパイラルロッドと称される、その全体を一方向螺旋で構成したもの、またはＳ方向の螺旋とＺ方向の螺旋を交互に設けたものが知られている。
なお、このケーブルハンガーは通常高抗張力線からなり、必要に応じて合成樹脂で被覆したものが多く用いられている（例えば、特許文献１、図１３参照。）。
【０００５】
このスパイラルロッドは、ケーブルを架設すべき区間に張架したメッセンジャーワイヤに対し、スパイラルロッドの螺旋部のなす螺旋の内側にメッセンジャーワイヤと共に架設すべきケーブルを挿通することにより、スパイラルロッドを螺旋部の上側でメッセンジャーワイヤに懸架して取り付け、スパイラルロッドの螺旋部の下側んじケーブルを載置して装架している。
【０００６】
そして、螺旋部の内側にメッセンジャーワイヤを挿通したスパイラルロッドは、メッセンジャーワイヤとスパイラルロッドの互いに接する部分、通常は一連のスパイラルロッドにおける両端部を固定具により固定することで、スパイラルロッドをメッセンジャーワイヤに対して固定して、スパイラルロッドとメッセンジャーワイヤの脱離やずれを防止している。
【０００７】
このとき、メッセンジャーワイヤに対するケーブルハンガーの従来の固定具は、表裏に対の板状の挟み部材の間に、メッセンジャーワイヤとケーブルハンガーが接触する部分を挟み込み、それらの対の挟み部材を螺子で締め合わせることで、ケーブルハンガーおよびメッセンジャーワイヤを挟持して、これらを互いに固定することがなされている（例えば、特許文献２参照。）。
【０００８】
ところで、このような従来のメッセンジャーワイヤに対するケーブルハンガーの固定具を用いて、ケーブルハンガーをメッセンジャーワイヤに対して固定する作業は、治具による螺子の締め付け作業を必要とし、その作業者は治具や多数の螺子や挟み部材を所持して、その作業箇所たる高所に登り作業をする必要があるため、その煩雑性からかかる作業には時間と手間を多く必要として、その作業者は熟練が要求されると共に、治具や螺子や挟み部材を落下させないように細心の注意を払う必要があった。
【０００９】
加えて、ケーブルハンガーを固定して取り付けた既設のメッセンジャーワイヤから、ケーブルハンガーを取り外すときにも、上述のようなケーブルハンガーをメッセンジャーワイヤに対して固定する作業とは逆の分解作業を治具を用いてする必要があり、取り付けるときと同様の煩雑性を伴うものであった。
【００１０】
【特許文献１】特開平１１−１７８１８２号公報
【特許文献２】意匠登録第１１３５２００号公報
【発明の開示】
【発明が解決しようとする課題】
【００１１】
そこで本発明は、螺旋線条体よりなるケーブルハンガーを、治具を用いずとも、迅速かつ容易にメッセンジャーワイヤに対して強固に固定することのできるケーブルハンガーの固定方法を提供することを課題とする。
【課題を解決するための手段】
【００１２】
本発明は、上記課題を解決するために、次の請求項１乃至５の発明によるケーブルハンガーの固定方法を生み出した。
【００１３】
請求項１の発明は、メッセンジャーワイヤを構成する高抗張力より線の表面に、ケーブル類を装荷する螺旋線条体よりなるケーブルハンガーの固定すべき部分を介在させ、高抗張力素線よりなる螺旋状成形体から成るアーマーロッドを外側から嵌着することにより、メッセンジャーワイヤにケーブルハンガーを固定することを特徴とするケーブルハンガーの固定方法であり、
【００１４】
請求項２の発明は、前記のアーマーロッドを構成する高抗張力素線よりなる螺旋状成形体の螺旋の向きが、メッセンジャーワイヤを構成する高抗張力より線のより方向と同一であることを特徴とする請求項１に記載のケーブルハンガーの固定方法であり、
【００１５】
請求項３の発明は、前記のアーマーロッドを構成する高抗張力素線よりなる螺旋状成形体の内径が、メッセンジャーワイヤを構成するなす高抗張力より線の外径より小さくしてあることを特徴とする請求項１又は２の何れかに記載のケーブルハンガーの固定方法であり、
【００１６】
請求項４の発明は、前記のケーブルハンガーは、右螺旋と左螺旋の交互反転螺旋線条体より成ることを特徴とする請求項１乃至３の何れかに記載のケーブルハンガーの固定方法であり、
【００１７】
請求項５の発明は、前記のアーマーロッドは、その長さ方向の中央に目印を有することを特徴とする請求項１乃至４の何れかに記載のケーブルハンガーの固定方法である。
【発明の効果】
【００１８】
上述の如きメッセンジャーワイヤに対するケーブルハンガーの固定方法によれば、治具を必要とすることなく、メッセンジャーワイヤに取り付けるべき螺旋状成形体より成るケーブルハンガーを、迅速かつ容易でかつ強固にメッセンジャーワイヤに対してケーブルハンガーを嵌着固定して取り付けることができる。
【００１９】
また、治具を必要とすることなく、メッセンジャーワイヤから取り外すべき既設のケーブルハンガーを、迅速かつ容易にメッセンジャーワイヤに対するケーブルハンガーの嵌着固定を解除して取り外すことができる。
【００２０】
加えて、従来の螺子や挟み部材を用いるものと比較して、低コストで経済性に優れる。
【発明を実施するための最良の形態】
【００２１】
本発明によるメッセンジャーワイヤに対するケーブルハンガーの固定方法を実施するための最良の形態について、図面を参照しつつ以下に詳細に説明する。
【００２２】
図１は本発明によるメッセンジャーワイヤに対するケーブルハンガーの固定方法の一例の概要を示す正面図であり、図２は本発明によるメッセンジャーワイヤに対するケーブルハンガーの固定方法の一例の概要を示す斜視図である。
【００２３】
本発明によるメッセンジャーワイヤ１０に対するケーブルハンガー１１の固定方法は、主として通信用の光ファイバーケーブルなどのケーブル１２を架設すべき区間に張架したメッセンジャーワイヤ１０に螺旋線条体よりなるケーブルハンガー１１を取り付けて、そのケーブルハンガー１１にケーブル１２を装架することでケーブル１２を架設するときに用いられる。
【００２４】
なお、ケーブルハンガー１１としては、望ましくは鋼線などの高抗張力線材よりなる螺旋線条体であって、螺旋の向きは図１に記載のように一方向でも、図示してないが左右交互螺旋でも、あるいは長い中間部を有する左右交互螺旋でも差し支えない。又、必要に応じて熱可塑性のプラスチックなどの合成樹脂で被覆してなる高抗張力線材が防食性も高く用いられる。
【００２５】
このようなケーブルハンガー１１は、高抗張力線材よりなる螺旋線条体の内側にメッセンジャーワイヤ１０と共に架設すべきケーブル１２を挿通することにより、その螺旋部の上側でメッセンジャーワイヤ１０に懸下して取り付けられ、その螺旋部の下側でケーブル１２を載置して装架するようにしたものが用いられる。
【００２６】
上述のメッセンジャーワイヤ１０とケーブルハンガー１１を互いに固定する固定部１３は、通常はケーブルハンガー１１の両端部であるが、それらが互いに接触している位置あるいは無理なく接触せしめることのできる位置であればよく、必要があればケーブルハンガー１１の両端部のみならずそれらの中間を固定部１３としてもよい。
【００２７】
固定部１３におけるメッセンジャーワイヤ１０に対するケーブルハンガー１１の固定には、高抗張力素線を螺旋に曲成してなるアーマーロッド１４が用いられ、アーマーロッド１４を、その螺旋の内側にメッセンジャーワイヤ１０の表面にケーブルハンガー１１の所定の箇所を介在させて、アーマーロッド１４を嵌着させて固定することで達成される。固定部は１３で示すが、ケーブルハンガー１１は端部は勿論中間部であってもよい。
この場合、メッセンジャーワイヤ１０の表面にアーマーロッド１４を巻き付けるようにして嵌着するが、アーマーロッド１４の有する弾性復元力により、強固に固定することができる。この固定箇所はケーブルハンガーの端部は勿論中間部でもよい。
【００２８】
上述のアーマーロッド１４は、固定部１３においてケーブルハンガー１１の両側でメッセンジャーワイヤ１０に巻き付けるようにして嵌着するとき、アーマーロッドを構成する螺旋の数が少な過ぎれば強固な嵌着ができないがあまり螺旋の数が多いと嵌着に手数がかかり面倒である。通常は螺旋の数は２回転乃至１０回転位が実用的である。
【００２９】
なお、アーマーロッド１４をなす高抗張力素線の螺旋の向きは、メッセンジャーワイヤ１０を構成する高抗張力より線のより方向と同じくしてあり、アーマーロッド１４を構成する高抗張力素線の螺旋の内径は、メッセンジャーワイヤ１０を構成する高抗張力より線の外形よりも小さくしてあることが嵌着効果上望ましく、このとき、アーマーロッド１４をなす高抗張力素線の螺旋のピッチ幅は、メッセンジャーワイヤ１０をなす高抗張力より線のピッチ幅と同じくしてあるとよい。
【００３０】
また、アーマーロッド１４をなす高抗張力素線の材質は、メッセンジャーワイヤ１０やアーマーロッド１４が電食などで腐食し難くするために、メッセンジャーワイヤ１０をなす高抗張力より線と同じ金属で構成してあることが望ましく、また、めっきを施してあるとよい。
【００３１】
加えて、アーマーロッド１４の中央の近傍には、ここでケーブルハンガー１１を有効に挟持嵌着するようにメッセンジャーワイヤ１０に対して取り付けられるように、例えば赤色の塗料やインク等で着色してこれを示す目印を設けてあれば、作業性が向上に貢献するため好ましい。
【００３２】
上述の如くすれば、メッセンジャーワイヤに１０対してケーブルハンガー１１を固定するに、メッセンジャーワイヤ１０の固定部１３において、メッセンジャーワイヤ１０とケーブルハンガー１１が互いに交叉して接触した部分に、アーマーロッド１４の目印に従って略中央をケーブルハンガー１１側から当接させて、アーマーロッド１４の中央近傍から両側にかけてメッセンジャーワイヤ１０に嵌着すればよく、かかる作業には特別な治具を必要とすることなく、迅速かつ容易にすることができる。
【産業上の利用可能性】
【００３３】
本発明によれば、メッセンジャーワイヤに対するケーブルハンガーの固定を、高所での作業であっても、治具を用いずとも、迅速かつ容易に行うことができ、また、かかるメッセンジャーワイヤは安価に生産して提供することができる。
【図面の簡単な説明】
【００３４】
【図１】本発明のケーブルハンガーの固定方法で得られたものの一例の一部正面図
【図２】本発明のケーブルハンガーの固定方法の一例の概要を示す斜視図
【符号の説明】
【００３５】
１０  メッセンジャーワイヤ
１１  ケーブルハンガー
１２  ケーブル
１３  固定部
１４  アーマーロッド
【図１】
2007236050.tif 000003
【図２】
2007236050.tif 000004
【手続補正書】
【提出日】平成18年6月1日(2006.6.1)
【手続補正１】
【補正対象書類名】明細書
【補正対象項目名】０００５
【補正方法】変更
【補正の内容】
【０００５】
このスパイラルロッドは、ケーブルを架設すべき区間に張架したメッセンジャーワイヤに対し、スパイラルロッドの螺旋部のなす螺旋の内側にメッセンジャーワイヤと共に架設すべきケーブルを挿通することにより、スパイラルロッドを螺旋部の上側でメッセンジャーワイヤに懸架して取り付け、スパイラルロッドの螺旋部の下側にケーブルを載置して装架している。
【手続補正２】
【補正対象書類名】明細書
【補正対象項目名】００２７
【補正方法】変更
【補正の内容】
【００２７】
固定部１３におけるメッセンジャーワイヤ１０に対するケーブルハンガー１１の固定には、高抗張力素線を螺旋に曲成してなるアーマーロッド１４が用いられ、アーマーロッド１４を、その螺旋の内側にメッセンジャーワイヤ１０の表面にケーブルハンガー１１の所定の箇所を介在させて、アーマーロッド１４を嵌着させて固定することで達成される。固定部は１３で示すが、ケーブルハンガー１１は端部は勿論中間部であってもよい。
この場合、メッセンジャーワイヤ１０の表面にアーマーロッド１４を巻き付けるようにして嵌着するが、アーマーロッド１４の有する弾性復元力により、強固に固定することができる。
【手続補正３】
【補正対象書類名】明細書
【補正対象項目名】００２８
【補正方法】変更
【補正の内容】
【００２８】
上述のアーマーロッド１４は、固定部１３においてケーブルハンガー１１の両側でメッセンジャーワイヤ１０に巻き付けるようにして嵌着するとき、アーマーロッド１４を構成する螺旋の数が少な過ぎれば強固な嵌着ができないがあまり螺旋の数が多いと嵌着に手数がかかり面倒である。通常は螺旋の数は２回転乃至１０回転位が実用的である。
【手続補正４】
【補正対象書類名】明細書
【補正対象項目名】００３１
【補正方法】変更
【補正の内容】
【００３１】
加えて、アーマーロッド１４の中央の近傍には、ここでケーブルハンガー１１を有効に挟持嵌着するようにメッセンジャーワイヤ１０に対して取り付けられるように、例えば赤色の塗料やインク等で着色してこれを示す目印を設けてあれば、作業性の向上に貢献するため好ましい。
【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
メッセンジャーワイヤを構成する高抗張力より線の表面に、ケーブル類を装荷する螺旋線条体よりなるケーブルハンガーの固定すべき部分を介在させ、該メッセンジャーワイヤをなす高抗張力より線と同一方向かつ同一ピッチの螺旋の高抗張力素線よりなる螺旋状成形体から成るアーマーロッドを外側から嵌着することにより、メッセンジャーワイヤにケーブルハンガーを固定することを特徴とするケーブルハンガーの固定方法。
【請求項２】
前記のアーマーロッドを構成する高抗張力素線よりなる螺旋状成形体の内径が、メッセンジャーワイヤを構成するなす高抗張力より線の外径より小さくしてあることを特徴とする請求項１に記載のケーブルハンガーの固定方法。
【請求項３】
前記のケーブルハンガーは、右螺旋と左螺旋の交互反転螺旋線条体より成ることを特徴とする請求項１又は２の何れかに記載のケーブルハンガーの固定方法。
【請求項４】
前記のアーマーロッドは、その長さ方向の中央に目印を有することを特徴とする請求項１乃至３の何れかに記載のケーブルハンガーの固定方法。
【手続補正２】
【補正対象書類名】明細書
【補正対象項目名】００１３
【補正方法】変更
【補正の内容】
【００１３】
請求項１の発明は、メッセンジャーワイヤを構成する高抗張力より線の表面に、ケーブル類を装荷する螺旋線条体よりなるケーブルハンガーの固定すべき部分を介在させ、該メッセンジャーワイヤをなす高抗張力より線と同一方向かつ同一ピッチの螺旋の高抗張力素線よりなる螺旋状成形体から成るアーマーロッドを外側から嵌着することにより、メッセンジャーワイヤにケーブルハンガーを固定することを特徴とするケーブルハンガーの固定方法であり、
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
請求項２の発明は、前記のアーマーロッドを構成する高抗張力素線よりなる螺旋状成形体の内径が、メッセンジャーワイヤを構成するなす高抗張力より線の外径より小さくしてあることを特徴とする請求項１に記載のケーブルハンガーの固定方法であり、
【手続補正５】
【補正対象書類名】明細書
【補正対象項目名】００１６
【補正方法】変更
【補正の内容】
【００１６】
請求項３の発明は、前記のケーブルハンガーは、右螺旋と左螺旋の交互反転螺旋線条体より成ることを特徴とする請求項１又は２の何れかに記載のケーブルハンガーの固定方法であり、
【手続補正６】
【補正対象書類名】明細書
【補正対象項目名】００１７
【補正方法】変更
【補正の内容】
【００１７】
請求項４の発明は、前記のアーマーロッドは、その長さ方向の中央に目印を有することを特徴とする請求項１乃至３の何れかに記載のケーブルハンガーの固定方法である。